(57)【要約】【課題】  食違い配置の検出区域を有するモノリシックＸ線検出器を提供する。【解決手段】  複数の列で食違い配置のピクセル（１５）を使用するモノリシック固体検出器（１２）は、ピクセル寸法の減縮を必要とすることなく空間分解能を改善する。ＣＺＴモノリスの平行四辺形の形状により、モノリス相互の間に効率の悪い区域を生じることなく一次元でタイリングが可能になる。走査装置（１０，１０’）は非矩形の形状を持つ検出器（１２）の線形配列を使用し、走査範囲内で不感域が生じないように食違い配置の検出素子列が使用される。【選択図】        図２
2005322908.tif 000002
【特許請求の範囲】
【請求項１】
前面（１４）及び後面（２０）を持つモノリシック検出器素子（１２）と、
前記前面（１４）上の少なくとも１つの電極（２２）と、
前記後面（２０）上に配置された少なくとも２列の電極（２４）であって、その各列が軸線に沿って相隔たる独立の検出領域（１５）を規定しており、また相異なる列の検出領域（１５）の中心が、列に沿って測ったとき、互いに対してずれている、当該少なくとも２列の電極（２４）と、
を有している固体Ｘ線検出器（１０，１０’）。
【請求項２】
前記ずれは前記軸線に沿った検出領域（１５）の幅の半分である、請求項１記載の固体Ｘ線検出器（１０，１０’）。
【請求項３】
前記独立の検出領域（１５）は平行四辺形を画成する周縁を有している、請求項１記載の固体Ｘ線検出器（１０，１０’）。
【請求項４】
前記列の端にあるモノリシック検出器素子（１２）の少なくとも１つの端部は前記平行四辺形の一辺に平行であり、複数のモノリシック検出器素子（１２）は端と端とをつなげて配列して、実質的にギャップを生じること無く又はこれらのモノリシック検出器素子（１２）の中心間隔を変えること無く検出領域（１５）の列を延長させることができる、請求項３記載の固体Ｘ線検出器（１０，１０’）。
【請求項５】
前記独立の検出領域（１５）は矩形を画成する周縁を有している、請求項１記載の固体Ｘ線検出器（１０，１０’）。
【請求項６】
前記列の端にある検出領域（１５）の面積が、前記列の端にない検出領域（１５）の面積よりも小さく、また、複数のモノリシック検出器素子（１２）は端と端とをつなげて配列して、これらの検出器素子（１２）の中心間隔を変えること無く検出領域（１５）の列を延長させることができる、請求項５記載の固体Ｘ線検出器（１０，１０’）。
【請求項７】
前記列の端にある検出素子（１５）は、台形の周縁を持つように前記列に対して角度をなして切断されている、請求項６記載の固体Ｘ線検出器（１０，１０’）。
【請求項８】
更に、各々の前記電極（２４）から独立の電流を読み取る読出し回路（４０）を含んでいる請求項１記載の固体Ｘ線検出器（１０，１０’）。
【請求項９】
前記後面（２０）上の前記電極（２４）はガター領域（２５）によって電気的に分離されており、また、Ｘ線を受け取る際、第１列の前記ガター領域（２５）内に入るＸ線は、前記固体Ｘ線検出器（１０，１０’）が前記列に対して直角な経路（５４）に沿って掃引されるときに第２列内の非ガター領域に入るように構成されている、請求項１記載の固体Ｘ線検出器（１０，１０’）。
【請求項１０】
前記モノリシック検出器素子（１２）はＣＺＴ、ＣｄＴｅ及びＨｇＩ２  より成る群から選択される、請求項１記載の固体Ｘ線検出器（１０，１０’）。
【発明の詳細な説明】
【技術分野】
【０００１】
本発明は一般的に云えばＸ線検出器に関し、具体的には定量的Ｘ線イメージングのために使用されるテルル化カドミウム亜鉛（ＣＺＴ）検出器に関するものである。
【背景技術】
【０００２】
２種類の異なるＸ線エネルギで或る物体によるＸ線吸収量を測定すると、その物体の組成についての情報を２種類の選択された基本的物質に分解されるものとして表すことができる。医学の分野では、選択された基本的物質を骨と柔らかい組織とにすることが多い。骨を周囲の柔らかい組織から区別できれば、Ｘ線画像から、骨粗鬆症及び他の骨の病気の診断のために生体内骨密度についての定量的情報を得ることが可能になる。
【０００３】
選択された基本的物質として異なるものを選ぶことにより、二重エネルギＸ線測定を他の目的に使用することが可能である。例えば、二重エネルギＸ線測定は、身体組成の分析のために脂肪と脂肪のない組織とを区別するように、或いは荷物を走査するために爆発物と非爆発物とを区別するように使用することができる。
【０００４】
二重エネルギＸ線システムで被測定物体を通過するＸ線を測定するためにテルル化カドミウム亜鉛（ＣＺＴ）検出器を使用することができる。このような検出器は、各入射フォトンについて該フォトンのエネルギに比例した電荷を解放し、従ってパルスの高さによって分類されるような高及び低エネルギＸ線を別々に測定することができる。
【発明の開示】
【発明が解決しようとする課題】
【０００５】
一般に、ＣＺＴ検出器は多数の別々のＣＺＴ結晶を用いており、その各々の結晶は該結晶の区域によって規定されたピクセル内のＸ線を検出するために前面及び後面電極を有する。ＣＺＴ検出器を構成するには、多数の別々のＣＺＴ結晶を組み立てることが必要であり、これは困難なことがある。ピクセルの大きさをより小さくした高分解能検出器では、より小さい結晶が必要となり、組み立ての問題をより難しくする。
【課題を解決するための手段】
【０００６】
本発明は、モノリシックＣＺＴ結晶で構成されて、その一面上に、多数のピクセルを規定するための複数の電極を配置した高分解能ＣＺＴ検出器を提供する。このモノリシック設計により、多数の別々の小さい結晶を使用することによって生じる組み立ての問題が排除される。しかしながら、ピクセル相互の間の領域は、隣り合うピクセル相互の間（「ガター(gutter)」領域）に吸収されたＸ線を計数するときに、蓄積電荷を相互に共有することに起因して効率が悪いことが知られている。その上、スロット走査用途では、モノリス(monolith)の延長した線形配列を使用することによって有意な区域をカバーすることがより効率的である。これは必然的に、複数の結晶を互いに対して端部同士で突合せ接触させなければならず、その結果として結晶相互の間に不感域が生じることを意味している。これらの理由で、本発明では各結晶上に複数列の食違い配置のピクセル（staggered pixels）を設ける。食違い配置のピクセル列を使用して走査することにより、後の列の検出器素子が前の列の効率の悪い領域をカバーすることが可能になる。列に沿ったピクセル・ピッチを中断することなく又はモノリス相互の間のギャップに起因する効率の低下を生じること無く、複数のモノリシック素子のタイリング(tiling)を可能にするために、モノリスを平行四辺形の形状に製作する。
【０００７】
これらの特徴、目的及び利点は、特許請求の範囲内に入る幾つかの実施形態のみに適用することができ、従って本発明の範囲を規定するものではない。
【発明を実施するための最良の形態】
【０００８】
ここで図１を参照して説明すると、固体二重エネルギＸ線検出器システム１０はモノリシックＣＺＴ結晶１２を含むことができ、該結晶１２は、通常はＸ線フォトン１６及び１８の発生源に面している前面１４と、該前面とはＣＺＴ結晶の反対側にある後面２０と有している。代替例では、ＣｄＴｅ及びＨｇＩ２  のような他の検出器材料を使用することができる。
【０００９】
陰極２２がＣＺＴ結晶１２の前面１４に設けられ、且つ陽極２４がＣＺＴ結晶１２の後面２０に設けられて、両電極の間にバイアス電界を生成する。一般に、陰極２２は前面１４の全体を覆うが、陽極は後面２０の中心合わせされた小さい区域のみを覆う。陰極２２及び陽極２４の両方は、例えば、スパッタリングによって、ＣＺＴ結晶１２に直接適用してよく、好ましくは、白金のような導電性金属で形成される。ＣＺＴ結晶１２の前面１４はまた、アルミニウム被覆マイラーのような光不透明でＸ線透過性の材料によって保護してもよい。
【００１０】
陽極２４はガター領域２５によって互いから分離されている。本発明の一実施形態では、陽極２４は面積がほぼ１．５ｍｍ×２．５ｍｍであり、ガター領域２５は幅がほぼ１５０〜２００ミクロンである。ガター領域２５は陽極２４を電気的に隔離するように作用して、各ピクセル領域１５について軸線２３に沿って前面１４上の陰極２２と後面２０上の陽極２４との間で解放された電荷のバーストを独立に測定できるようにする。このピクセル相互間（ガター）領域内の電界は弱いので、電荷収集の効率が悪い。好ましい実施形態ではステアリング(steering)電極（図示していない）を使用してよいが、Ｘ線吸収によって生成された有限の幅の電荷蓄積に起因して、その中の電荷が２つのピクセルの間で分割される領域（典型的には、０．１〜０．２ｍｍ）が常に存在する。
【００１１】
結晶１２内に蓄積された電荷の収集を効率よくするために、バイアス電圧源３１からのバイアス電圧を各ピクセル領域１５の対向する陰極２２と陽極２４との間に印加して、電界３２を生成する。前面１４上の陰極２２を通過したＸ線フォトン１６がモノリシック結晶１２に入射して電荷坦体３４（本例では電子として示す）を解放させ、該電荷坦体３４は次いで後面２０上の陽極２４によって収集されて、各ピクセル領域１５についての別々の導線３６を介して、アースを基準とした電荷積分器３８へ導かれる。各フォトン１６によって解放される電荷の量は、Ｘ線フォトン１６のエネルギを表す。電荷積分器３８からの出力は処理用コンピュータ４０によって受け取られ、処理用コンピュータ４０は当該技術分野で周知の手法に従ってＸ線フォトン１６の定量的画像を生成することができる。
【００１２】
ピクセル領域１５内部に衝突するＸ線フォトン１６とは対照的に、ガター領域２５のモノリシック結晶１２に入射するＸ線フォトン１８は電荷坦体３９を生成し、これらの電荷坦体３９はピクセル領域１５の中へ移動して後面２０上の陽極２４によって収集されることがある。これらの電荷坦体３９はモノリシック設計の検出器システム１０の定量精度及び空間分解能を劣化させ、Ｘ線フォトン１６から収集された電荷に対して実効ノイズ成分を増大させる。
【００１３】
ここで図２も参照して説明すると、一般的にＸ線検出器システム１０は単一のＣＺＴ結晶１２上に複数の検出器素子を設けることができる。この場合、複数の陽極２４がＣＺＴ結晶１２上に配置されて、各々ステアリング電極３０によって囲まれており、また、相互接続し且つ単一の陰極２２によって被覆することができる。
【００１４】
各々の陽極２４を囲むステアリング電極３０は、その周縁によってピクセル領域１５を画成する。ピクセル領域１５は、Ｘ線フォトン１６を独立に検出して定量的検出値を生成することができる区域を画成し、該定量的検出値は、画像を形成する個々のピクセルにマッピングすることができる。
【００１５】
図２に示されている実施形態では、ピクセル領域１５は大体平行四辺形であって、縦方向に斜めにして縦横にタイリング（すなわち、タイル張り状に配列）している。この実施形態では、各々の平行四辺形のピクセル領域１５は、患者の一区域にわたって情報を収集するためにＸ線検出器システム１０を走査する走査方向５４に対して大体直角な第１の底辺５２を持つ。平行四辺形すなわちピクセル領域１５の側壁５６は角度を付けられていて、その角度は、第１列のピクセル領域１５についての陽極２４の中心によって大体規定されるピクセル領域１５の中心を通る経路６０が、第２列のピクセル領域１５についてのピクセル領域１５の中心を通る経路６２と交互に配置されるようになっている。このようにして、より大きくしたピクセル領域１５によって、より高い空間分解能サンプリングを行うことができ、得られる画像が改善される。更に、一つの列におけるガター領域から失われたデータが、食違い配置の次の列において回復される。
【００１６】
次に図３を参照して説明すると、代替実施形態では、ピクセル領域１５を矩形にし、第１列のピクセル領域１５を第２列に対して食違い配置にして、前の場合と同様に経路６０及び６２を交互に配置する。図２の矩形のピクセル領域１５は一層コンパクトな検出領域の利点を提供し、得られる画像の明確さを低下させることのあるコンボリューション・カーネル（走査方向５４に対して直角な線に沿ったピクセル領域１５の投影幅の関数）の有効寸法を制限する。
【００１７】
更に図３を参照して説明すると、Ｘ線検出器システム１０のための都合の良い形状因子は、各列が８個のピクセル領域１５を持つ２つの列を有する。この又は同様な形状因子の複数の検出器システム１０を端縁方向に連結して、任意に列を延長させることができる。矩形のピクセル領域１５を持つＸ線検出器システム１０の場合、Ｘ線検出器システム１０の右側端縁の第１及び第２の列にあるピクセル領域１５ａ及び１５ｂを走査方向５４に対して角度を成すように切断して、ピクセル領域１５ａ及び１５ｂの面積を等しく減縮することができる。次のＸ線検出器システム１０’の左側端縁の第１及び第２の列にある同様に減縮したピクセル領域１５ｃ及び１５ｄを、それぞれの対応するピクセル領域１５ｂ及び１５ａに緊密に接近させて配置することができる。各ピクセル領域１５ａ〜１５ｄの面積はＸ線検出器システム１０及び１０’の間の接合ギャップの幅の半分だけ減縮し、これにより他のピクセル領域１５の側方の規則性を保持する。別の実施形態では、各ピクセル領域１５ａ〜１５ｄの面積は、Ｘ線検出器システム１０及び１０’の間の接合ギャップに対処するために半分より僅かに小さくなるように減縮する。これは２つの実質的なピクセル領域を提供し、その第１はピクセル領域１５ａ及び１５ｄからの信号の組合せであり、その第２はピクセル領域１５ｂ及び１５ｃの組合せである。これらの検出器の実質的なピクセル領域の僅かに減縮された検出面積は、信号を受け取るコンピュータによって加えられる重み係数によって数学的に補正することができる。
【００１８】
本発明は多角形の電極領域に適用可能であるばかりでなく、他の形状にも同様に適用可能である。
【００１９】
本発明は本書に含まれている実施形態及び図示例に制限されるのではなく、それらの実施形態の一部を含むそれらの実施形態の修正した形態、並びに特許請求の範囲内に入るような異なる実施形態の要素の組合せを含むことを特に意図している。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００２０】
【図１】ガター領域から隣接のピクセル領域への電荷坦体移動を示す本発明によるモノリシックＣＺＴ検出器の断面図であり、またモノリシック検出器のバイアスの初期化のため及び規定されたピクセル内での補間のために使用される検出器回路も示している。
【図２】モノリシックＣＺＴ検出器の後面の平面図であり、ステアリング電極を格子パターンに配置することを示すと共に、走査Ｘ線装置におけるサンプリングを改善するために陽極を食違い配置の平行四辺形の構成で配置することを示している。
【図３】図２と同様な図であり、矩形の検出器素子を使用した代替の食違い配置の電極の構成を示している。
【符号の説明】
【００２１】
１０  固体二重エネルギＸ線検出器システム
１２  モノリシックＣＺＴ結晶
１４  前面
１５  ピクセル領域
１６、１８  Ｘ線フォトン
２０  後面
２２  陰極
２３  軸線
２４  陽極
２５  ガター領域
３０  ステアリング電極
３１  バイアス電圧源
３２  電界
３４  電荷坦体
３６  導線
３８  電荷積分器
３９  電荷坦体
４０  処理用コンピュータ
５２  第１の底辺
５４  走査方向
５６  側壁
６０、６２  経路
【図１】
2005322908.tif 000003
【図２】
2005322908.tif 000004
【図３】
2005322908.tif 000005